(57)【要約】【課題】ソフトウェア開発を迅速に行うことが可能なソフトウェア開発支援装置を提供すること。【解決手段】担当者端末、および管理者端末とネットワークを介して接続され、担当者端末および管理者端末から利用可能なソフトウェア開発支援装置であって、不具合ノウハウ情報データを、不具合の内容に応じて分類される不具合分類コードに対応させて格納する第１の記憶部と、キーワードとなる単語を含み、開発作業に関するスキルを示す担当者情報データを担当者に対応させて格納する第２の記憶部と、担当者端末または管理者端末から不具合分類コードの入力を受け付けて該不具合分類コードに対応する不具合ノウハウ情報データを提供し、管理者端末からキーワードの入力を受け付けて該キーワードに対応する担当者情報データを提供する管理部と、を有する。【選択図】  図１
2008204058.tif 000002
【特許請求の範囲】
【請求項１】
ソフトウェア開発において、開発作業を行う担当者が利用する担当者端末、および管理作業を行う管理者が利用する管理者端末とネットワークを介して接続され、前記担当者端末および前記管理者端末から利用可能なソフトウェア開発支援装置であって、
前記開発作業で過去に発生した不具合の内容、および該不具合への対処を示す不具合ノウハウ情報データを、前記不具合の内容に応じて分類される不具合分類コードに対応させて格納する第１の記憶部と、
キーワードとなる単語を含み、前記開発作業に関するスキルを示す担当者情報データを前記担当者に対応させて格納する第２の記憶部と、
前記担当者端末または前記管理者端末から前記不具合分類コードの入力を受け付けて前記第１の記憶部に格納されている該不具合分類コードに対応する不具合ノウハウ情報データを提供し、前記管理者端末から前記キーワードの入力を受け付けて前記第２の記憶部に格納されている該キーワードに対応する担当者情報データを提供する管理部と、
を有することを特徴とするソフトウェア開発支援装置。
【請求項２】
請求項１に記載のソフトウェア開発支援装置において、
前記開発作業で使用される開発ツールと、該開発ツールを用いて作成されたプログラムを示す開発データを格納する第３の記憶部と、
前記開発作業で共用可能なプログラムを示す標準品データを格納する第４の記憶部と、を備え、
前記管理部は、
前記担当者端末から指定された前記第３の記憶部に格納されている前記開発ツール、または前記第４の記憶部に格納されている前記標準品データを前記担当者端末へ提供し、前記担当者端末から供給される前記開発データを前記第３の記憶部に格納させることを特徴とするソフトウェア開発支援装置。
【請求項３】
請求項２に記載のソフトウェア開発支援装置において、
前記管理部は、前記担当者端末から指定された前記第３の記憶部に格納されている前記開発データを前記第４の記憶部へ格納させることを特徴とするソフトウェア開発支援装置。
【請求項４】
ネットワークを介して接続される、開発作業を行う担当者が利用する担当者端末、および管理作業を行う管理者が利用する管理者端末と、前記担当者端末および前記管理者端末から利用可能なソフトウェア開発支援装置とからなるソフトウェア開発支援システムであって、
前記ソフトウェア開発支援装置は、
前記開発作業で過去に発生した不具合の内容、および該不具合への対処を示す不具合ノウハウ情報データを、前記不具合の内容に応じて分類される不具合分類コードに対応させて格納する第１の記憶部と、
キーワードとなる単語を含み、前記開発作業に関するスキルを示す担当者情報データを前記担当者に対応させて格納する第２の記憶部と、
前記担当者端末または前記管理者端末から前記不具合分類コードの入力を受け付けて前記第１の記憶部に格納されている該不具合分類コードに対応する不具合ノウハウ情報データを提供し、前記管理者端末から前記キーワードの入力を受け付けて前記第２の記憶部に格納されている該キーワードに対応する担当者情報データを提供する管理部と、
を有することを特徴とするソフトウェア開発支援システム。
【請求項５】
請求項４に記載のソフトウェア開発支援システムにおいて、
前記ソフトウェア開発支援装置は、開発作業で使用される開発ツールと、該開発ツールを用いて作成されたプログラムを示す開発データを格納する第３の記憶部と、
前記開発作業で共用可能なプログラムを示す標準品データを格納する第４の記憶部と、を備え、
前記管理部は、
前記担当者端末から指定された前記第３の記憶部に格納されている前記開発ツール、または前記第４の記憶部に格納されている前記標準品データを前記担当者端末へ提供し、前記担当者端末から供給される前記開発データを前記第３の記憶部に格納させることを特徴とするソフトウェア開発支援システム。
【請求項６】
請求項５に記載のソフトウェア開発支援システムにおいて、
前記管理部は、前記担当者端末から指定された前記第３の記憶部に格納されている前記開発データを前記第４の記憶部へ格納させることを特徴とするソフトウェア開発支援システム。
【発明の詳細な説明】
【技術分野】
【０００１】
本発明は、ソフトウェア開発において、開発作業および管理作業の両方を支援するソフトウェア開発支援装置に関する。
【背景技術】
【０００２】
従来、ソフトウェア開発を行う際には、開発作業を行う担当者、および管理作業を行う管理者のように人員を組織化する場合がある。
【０００３】
上記のように人員を組織化する場合、管理者は、管理作業として、開発作業の進捗状況を把握したり、開発作業で発生した不具合への対処を決めたりしなければならない。そのため、特に経験の少ない管理者にとっては、管理作業の負担は大きなものとなる。そこで、このような問題を解決するための装置が提案されており、例えば特許文献１（特開２００５−１５７９７１号公報）に開示されている。
【０００４】
特許文献１のプロジェクト管理装置は、複数のプロジェクトで進められるシステム開発を管理する装置であり、体制情報記憶部と、プロジェクト情報記憶部と、担当者別情報記憶部と、ノウハウ情報記憶部と、体制情報更新部と、プロジェクト情報更新部と、担当者別情報更新部と、ノウハウ情報更新部と、情報取得部と、情報出力部と、を含む構成である。
【０００５】
なお、特許文献１のプロジェクト管理装置は、開発作業を行う担当者が利用する担当者端末、およびプロジェクト管理者が利用する管理者端末とネットワークを介して接続されており、上記のプロジェクト管理装置は担当者端末、および管理者端末から利用可能とされている。
【０００６】
体制情報記憶部に格納される体制情報には、プロジェクト名と、担当者名と、担当者が開発するシステムの構成（機能）名と、開発作業の重要度と、作成が必要なドキュメント数と、開発作業のステップ数とがそれぞれ入力された表が示されている。
【０００７】
プロジェクト情報記憶部に格納されるプロジェクト情報は、プロジェクト進捗情報および不具合情報を含み、プロジェクト進捗情報には、プロジェクト名、構成名、期限、進捗度、更新日などが入力された表が示されている。一方、不具合情報には、不具合が発生した構成名、不具合の現象、不具合の原因、原因分類、開発担当者、対応状況などが入力された表が示されている。さらに、不具合情報には、担当者の不具合発生件数の集計が原因分類ごとに入力された表、および担当者の不具合発生率が原因分類ごとに入力された表も含まれている。
【０００８】
担当者情報記憶部に格納される担当者別情報には、担当者ごとに開発作業の成果物と、成果物に対する目標値と、期限と、目標値に対する進捗値と、進捗値に達した日付とが入力された表が示されている。
【０００９】
ノウハウ情報記憶部に格納されているノウハウ情報には、プロジェクトの進捗状況および開発作業に関して発生した問題と、その問題に対する対応策とが入力された表が示されている。なお、この対応策には、担当者の変更も含まれている。
【００１０】
特許文献１のプロジェクト管理システムでは、上述した情報は担当者端末または管理者端末から情報取得部に入力される。すると、情報取得部が情報の種類に応じて、入力された情報を対応する情報更新部へ出力する。そして、情報更新部がその情報を情報記憶部へ格納する。なお、既に格納されている情報を更新する場合には、情報更新部がその処理を行う。また、各情報記億部に格納されている情報は、情報出力部より担当者端末または管理者端末へ提供される。
【００１１】
特許文献１のプロジェクト管理システムによれば、開発作業の進捗状況は、プロジェクト進捗情報および担当者別情報に示されている。また、不具合への対応策は、ノウハウ情報に示されている。対応策が担当者の変更であるときは、不具合情報や担当者別情報に基づいて、最適な担当者を見つけることが可能となる。
【００１２】
このようにして、特許文献１のプロジェクト管理システムは、プロジェクト進捗情報やノウハウ情報を記憶部に格納しているため、経験の少ない管理者に対して管理作業の負担を軽減させることが可能となる。
【特許文献１】特開２００５−１５７９７１号公報
【発明の開示】
【発明が解決しようとする課題】
【００１３】
特許文献1のプロジェクト管理装置を用いて不具合への対処を決める際、ノウハウ情報および不具合情報を活用する場合には、管理者または担当者自身がそれぞれの情報の中から参考となるものを探し出さなければならない。そのため、不具合への対処を決定するのに多くの時間を要することが考えられる。
【００１４】
本発明は、上述したような問題を解決するためになされたものであり、ソフトウェア開発を迅速に行うことが可能なソフトウェア開発支援装置を提供することを目的とする。
【課題を解決するための手段】
【００１５】
上記目的を達成するための本発明のソフトウェア開発支援装置は、
ソフトウェア開発において、開発作業を行う担当者が利用する担当者端末、および管理作業を行う管理者が利用する管理者端末とネットワークを介して接続され、前記担当者端末および前記管理者端末から利用可能なソフトウェア開発支援装置であって、
前記開発作業で過去に発生した不具合の内容、および該不具合への対処を示す不具合ノウハウ情報データを、前記不具合の内容に応じて分類される不具合分類コードに対応させて格納する第１の記憶部と、
キーワードとなる単語を含み、前記開発作業に関するスキルを示す担当者情報データを前記担当者に対応させて格納する第２の記憶部と、
前記担当者端末または前記管理者端末から前記不具合分類コードの入力を受け付けて前記第１の記憶部に格納されている該不具合分類コードに対応する不具合ノウハウ情報データを提供し、前記管理者端末から前記キーワードの入力を受け付けて前記第２の記憶部に格納されている該キーワードに対応する担当者情報データを提供する管理部と、
を有する。
【００１６】
また、前記開発作業で使用される開発ツールと、該開発ツールを用いて作成されたプログラムを示す開発データを格納する第３の記憶部と、
前記開発作業で共用可能なプログラムを示す標準品データを格納する第４の記憶部と、を備え、
前記管理部は、
前記担当者端末から指定された前記第３の記憶部に格納されている前記開発ツール、または前記第４の記憶部に格納されている前記標準品データを前記担当者端末へ提供し、前記担当者端末から供給される前記開発データを前記第３の記憶部に格納させることとしてもよい。
【００１７】
また、前記管理部は、前記担当者端末から指定された前記第３の記憶部に格納されている前記開発データを前記第４の記憶部へ格納させることとしてもよい。
【００１８】
本発明では、過去の開発作業において発生した不具合の内容、およびその不具合への対処を示す不具合ノウハウ情報データが不具合分類コードに対応させて第１の記憶部に格納されている。そして、担当者端末または管理者端末に対して不具合分類コードの入力を受け付けて、その不具合分類コードに対応する不具合ノウハウ情報データを提供する。
【００１９】
また、キーワードとなる単語を含み、開発作業に関するスキルを示す担当者情報データが担当者に対応させて第２の記憶部に格納されている。そして、管理者端末に対してキーワードの入力を受け付けて、そのキーワードに対応する担当者情報データを提供する。
【発明の効果】
【００２０】
本発明によれば、不具合への対処を決める際に不具合ノウハウ情報を活用する場合、管理者または担当者は不具合分類コードで不具合ノウハウ情報を選別できる。また、不具合への対処に最適な担当者を決める際に担当者情報を活用する場合、管理者はキーワードで担当者情報を選別できる。
【００２１】
上記の通り、不具合ノウハウ情報や担当者情報の中から参考となるものを探し出す手間が省かれることにより、不具合への対処を決めるまでの時間、および不具合への対処に最適な担当者を見つけるまでの時間を短縮できる。そのため、迅速にソフトウェア開発を行うことが可能となる。
【発明を実施するための最良の形態】
【００２２】
本実施形態のソフトウェア開発支援装置１の構成について説明する。
【００２３】
図１は、ソフトウェア開発支援装置１の一構成例を示すブロック図である。
【００２４】
ソフトウェア開発支援装置１は、図１に示すように、ノウハウ情報を格納するノウハウ情報記憶部２と、担当者情報を格納する担当者情報記憶部３と、開発作業に関するツールおよびデータを格納する開発ツール記憶部４と、開発作業で共用可能なプログラムを示す標準品データを格納する標準品記憶部５と、ソフトウェア開発を管理するための管理情報を格納する管理情報記憶部６と、各記憶部に格納される情報またはデータを管理する管理部７と、を有する。
【００２５】
なお、ソフトウェア開発支援装置１は、担当者が利用する担当者端末１０、および管理者が利用する管理者端末１１とネットワーク１００を介して接続されている。そして、ソフトウェア開発支援装置１は、担当者端末１０および管理者端末１１から利用可能である。
【００２６】
ノウハウ情報記憶部２は、例えばメモリを含む構成であり、不具合ノウハウ情報および作業ノウハウ情報をメモリに格納する。
【００２７】
図２は、不具合ノウハウ情報の一例を示す概略図である。
【００２８】
図２に示す不具合ノウハウ情報２００は、開発作業で過去に発生した不具合の内容、およびその不具合に対して実施された処置を、不具合の内容に応じて分類される不具合分類コードに対応して示す。
【００２９】
図３は、作業ノウハウ情報の一例を示す概略図である。
【００３０】
図３に示す作業ノウハウ情報３００は、過去のソフトウェア開発で実施された開発作業の手順を、開発作業の内容に応じて分類される開発分類コードに対応して示す。
【００３１】
担当者情報記憶部３は、例えばメモリを含む構成であり、担当者情報をメモリに格納する。図４は、担当者情報の一例を示す概略図である。
【００３２】
図４に示す担当者情報４００は、担当者ごとに開発作業に関するスキル、および業務経歴が示されている。なお、スキルにはキーワードの対象となる単語が含まれている。例えば、担当者情報４００では、「プログラム言語Ａ」、「情報処理技能検定１級」、および「プログラム言語Ｃ」が、キーワードに該当する。
【００３３】
開発ツール記憶部４は、例えばメモリを含む構成であり、担当者が開発作業で使用する開発ツール、およびその開発ツールを用いて作成されたプログラムを示す開発データをメモリに格納する。
【００３４】
開発ツールには、例えば、プログラム言語によるプログラムを作成するためのソフトウェア、およびそのプログラムをコンピュータに実行させるためのソフトウェアなどが含まれる。一方、開発データには、開発者がプログラム言語を用いて実際に作成したソースプログラム、ソースプログラムをコンピュータに実行させるためのオブジェクトプログラム、複数のオブジェクトプログラムを連結させたロードモジュールなどが含まれる。
【００３５】
標準品記憶部５は、例えばメモリを含む構成であり、開発作業で共用可能なプログラムを示す標準品データをメモリに格納する。
【００３６】
管理情報記憶部６は、例えばメモリを含む構成であり、管理情報をそのメモリに格納する。管理情報には、開発の企画内容を示すプロジェクト情報と、開発の作業内容を示すプロセス情報と、開発の進捗状況を示す進捗情報と、開発品の品質状況を示す品質情報と、開発作業で発生した不具合およびその対応策を示す課題情報と、が含まれる。
【００３７】
図５は、プロジェクト情報の一例を示す概略図である。
【００３８】
図５に示すプロジェクト情報５００は、開発分類コードと、プロジェクト名と、開発体制と、開発スケジュールと、品質目標と、生産目標とを示す。
【００３９】
図６は、プロセス情報の一例を示す概略図である。
【００４０】
図６に示すプロセス情報６００は、ＷＢＳ（Ｗｏｒｋ  Ｂｒｅａｋｄｏｗｎ  Ｓｔｒｕｃｔｕｒｅ）の手法を用いた表であり、プロジェクト名と、作業名と、作業内容に応じた階層番号とを示す。
【００４１】
図７は、進捗情報の一例を示す概略図である。
【００４２】
図７に示す進捗情報７００は、作業名と、担当者（作業責任者）と、期限と、進捗状況とを開発手順に対応させて示す。
【００４３】
図８は、課題情報の一例を示す概略図である。
【００４４】
図８に示す課題情報８００は、不具合分類コードと、不具合の発生日と、不具合の内容と、対応策とを示す。
【００４５】
管理部７は、担当者端末１０または管理者端末１１から上述した情報やデータが供給されると、それらを対応する記憶部へ格納させる。また、各記憶部に格納された情報やデータを担当者端末１０または管理者端末１１へ提供する。
【００４６】
次に、本実施形態のソフトウェア開発支援装置１の動作について説明する。
【００４７】
図９は、ソフトウェア開発支援装置１を用いたソフトウェア開発の作業手順を説明するための説明図である。なお、ここでは、作業手順を計画立案段階、開発実行段階、成果反映段階の三段階に分けて説明を行う。
【００４８】
まず、計画立案段階の作業について説明する。
【００４９】
管理者は管理者端末１１を操作して、管理作業を行うソフトウェア開発に対する開発分類コードを入力する（ステップＳ１）。すると、ソフトウェア開発支援装置１の管理部7が、ノウハウ情報記憶部２に格納されている入力された開発分類コードに対応する作業ノウハウ情報を読み出して管理者端末１１へ提供する（ステップＳ２）。
【００５０】
管理者は、提供された作業ノウハウ情報を参考にして、管理作業を行うソフトウェア開発に対するプロジェクト情報、プロセス情報、および進捗情報を作成して、ソフトウェア開発支援装置１へ送出する（ステップＳ３）。すると、管理部７がそれらの情報を管理情報記憶部６に格納させる（ステップＳ４）。
【００５１】
なお、ノウハウ情報記憶部２にプロジェクト情報、プロセス情報、および進捗情報を作成するためのテンプレートをそれぞれ格納し、管理者端末１１からの要求に応じて、それらのテンプレートを提供することにしてもよい。この場合、管理者が各情報を作成する時間を短縮することが可能となる。
【００５２】
このようにして、計画立案段階では、管理者は、開発分類コードの入力に伴って提供される作業ノウハウ情報を参考にしてプロジェクト情報、プロセス情報、および進捗情報を作成する。そして、それらの情報は、ソフトウェア開発支援装置１の管理情報記憶部６に格納される。
【００５３】
プロジェクト情報、プロセス情報、および進捗情報を作成する際に、参考となる情報が提供されるため、各情報の作成に要する時間を短縮することが可能となる。
【００５４】
次に、開発実行段階の作業について説明する。
【００５５】
担当者は担当者端末１０を操作して、ソフトウェア開発支援装置１に対して開発作業に必要な開発ツールの指定を行う（ステップＳ５）。すると、管理部７は、開発ツール記憶部４に格納している開発ツールの中から担当者が指定したものを提供する（ステップＳ６）。
【００５６】
また、担当者は、標準品記憶部５に格納されている標準品データが、作成するプログラムの全部または一部として使用できると判断した場合には、担当者端末１０を操作して標準品の指定を行う（ステップＳ７）。すると、管理部７が標準品記憶部５に格納している標準品データの中から担当者が指定したものを提供する（ステップＳ８）。
【００５７】
ステップＳ５〜Ｓ８の動作を経て担当者は開発作業を開始する。そして、担当者は、自分の開発作業が終了するまで、担当者端末１０を操作して、所定の期間ごとに進捗情報の中の進捗状況に対して入力を行う（ステップＳ９）。すると管理部７が、進捗情報を更新する（ステップＳ１０）。
【００５８】
開発作業の途中で不具合が発生した場合、担当者は、担当者端末１０を操作して、不具合内容および不具合分類コードが入力された課題情報を作成して、ソフトウェア開発支援装置１に送出する（ステップＳ１１）。すると、管理部７がその課題情報を管理情報記憶部６へ格納する（ステップＳ１２）。
【００５９】
なお、課題情報が既に管理情報記憶部６に格納されている場合には、担当者は担当者端末１０を操作して、その課題情報に追加入力を行う。この場合、管理部７が課題情報を更新する処理を行う。
【００６０】
管理者は課題情報が管理情報記憶部６に格納されたことを確認すると、管理者端末１１を操作して課題情報に記載されている不具合分類コードを入力する（ステップＳ１３）。すると、管理部７は、入力された不具合分類コードに対応する不具合ノウハウ情報をノウハウ情報記憶部２から読み出して管理者端末１１へ提供する（ステップＳ１４）。
【００６１】
なお、ステップＳ１３、Ｓ１４の動作については、担当者が担当者端末１０から不具合分類コードを入力しても、対応する不具合情報が提供されるものとする。
【００６２】
課題情報に示す不具合に対して担当者を変更して対処しようとした場合、管理者は、管理者端末１１を操作して不具合が生じている開発作業に必要なスキルに関するキーワードを入力する（ステップＳ１５）。すると、管理部７は、入力されたキーワードに対応する担当者情報を担当者情報記憶部３から読み出して管理者端末１１へ提供する（ステップＳ１６）。
【００６３】
管理者は、提供された不具合ノウハウ情報や担当者情報を参考にして対応策を決め、管理者端末１１から課題情報の対応策に実施する処置内容を入力する（ステップＳ１７）。すると、管理部７が、課題情報を更新する（ステップＳ１８）。なお、ステップＳ１７の動作は、担当者が担当者端末１０から入力することにしてもよい。
【００６４】
開発作業が終了すると、担当者は、進捗情報の中の進捗状況に作業終了の旨を示す入力を行うとともに、自分が作成した開発データをソフトウェア開発支援装置１へ提供する（ステップＳ１９）。すると、管理部７が、進捗情報を更新するとともに、提供された開発データを開発ツール記憶部３へ格納する（ステップＳ２０）。
【００６５】
このようにして、開発実行段階では、担当者は、開発ツールや標準品データの提供を受けて開発作業を行い、作成した開発データをソフトウェア開発装置１へ供給する。また、不具合が発生した場合、管理者は、不具合分類コードの入力に伴って提供される不具合ノウハウ情報、およびキーワードの入力に伴って提供される担当者情報を参考にして対応策を決める。
【００６６】
次に、成果反映段階の作業について説明する。
【００６７】
管理者は、進捗情報を見て開発作業が全て終了したことを確認すると、管理情報記憶部６に格納されている課題情報の中で、不具合ノウハウ情報に追加するものを指定する（ステップＳ２１）。すると、管理部７が、指定された課題情報をノウハウ情報記憶部２に格納されている不具合ノウハウ情報に追加する処理を行う（ステップＳ２２）。
【００６８】
また、管理者は、管理者端末１１を操作して、担当者ごとに担当者情報記憶部３に格納されている担当者情報の業務経歴に今回行った開発作業の内容を追加入力する（ステップＳ２３）。すると、管理部７が担当者情報を更新する処理を行う（ステップＳ２４）。
【００６９】
担当者は、開発ツール記憶部３に格納されている開発データの中で標準品データとするものを指定する（ステップＳ２５）。すると、管理部７は、指定された開発データを開発ツール記憶部３から標準品記憶部５へ格納させる（ステップＳ２６）。
【００７０】
このようにして、成果反映段階では、管理者端末１１からの指示に基づいて不具合情報記憶部４に格納される不具合ノウハウ情報に追加処理が行われる。また、管理者端末１１からの入力に基づいて担当者情報記憶部３に格納され担当者情報に更新処理が行われる。さらに、担当者端末１０からの指示に基づいて、標準品記憶部４に格納される標準品データに追加処理が行われる。
【００７１】
不具合ノウハウ情報および標準品データの追加処理が行われるため、開発実行段階において、開発作業の手間がさらに省かれ、不具合への対処を決める際に参考となる情報が追加されるため、ソフトウェア開発を迅速に行うことが可能となる。
【００７２】
なお、担当者端末１０および管理者端末１１からソフトウェア開発支援装置１に接続するためのユーザＩＤを設定することにしてもよい。この場合、ソフトウェア開発支援装置１を利用できる担当者および管理者を制限できるため、ソフトウェア開発に関する機密の漏えいを防ぐことが可能となる。
【００７３】
本実施形態では、担当者端末１０および管理者端末１１には、不具合分類コードの入力に伴って、その不具合分類コードに対応する不具合ノウハウ情報が提供される。管理者端末１１には、キーワードの入力に伴って、そのキーワードに対応する担当者情報も提供される。
【００７４】
本実施形態によれば、開発作業において不具合が発生した場合、不具合への対処を決めるまでの時間、および不具合への対処に最適な担当者を見つけるまでの時間を短縮できるため、迅速にソフトウェア開発を行うことが可能となる。
【００７５】
また、担当者が開発業務を行う際には、担当者端末１０にソフトウェア開発支援装置１から開発ツールおよび標準品データが提供される。そのため、担当者は、開発ツールの準備およびプログラム作成にかかる手間が省け、開発作業を効率的に進めることが可能となる。これにより、より一層迅速にソフトウェア開発を行うことが可能となる。
【図面の簡単な説明】
【００７６】
【図１】ソフトウェア開発支援装置１の一構成例を示すブロック図である。
【図２】不具合ノウハウ情報の一例を示す概略図である。
【図３】作業ノウハウ情報の一例を示す概略図である。
【図４】担当者情報の一例を示す概略図である。
【図５】プロジェクト情報の一例を示す概略図である。
【図６】プロセス情報の一例を示す概略図である。
【図７】進捗情報の一例を示す概略図である。
【図８】課題情報の一例を示す概略図である。
【図９】ソフトウェア開発支援装置１を用いたソフトウェア開発のプロジェクトを実行する手順を説明するための説明図である。
【符号の説明】
【００７７】
１  ソフトウェア開発支援装置
２  ノウハウ情報記憶部
３  担当者情報記憶部
４  開発ツール記憶部
５  標準品記憶部
６  管理情報記憶部
７  管理部
【図１】
2008204058.tif 000003
【図２】
2008204058.tif 000004
【図３】
2008204058.tif 000005
【図４】
2008204058.tif 000006
【図５】
2008204058.tif 000007
【図６】
2008204058.tif 000008
【図７】
2008204058.tif 000009
【図８】
2008204058.tif 000010
【図９】
2008204058.tif 000011